(57)【特許請求の範囲】
【請求項１】
ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子押さえリブが前記端子収容室の対向側の内壁とで前記端子を支持してガタ付きなく位置規制し、一対の該端子に対応して該端子押さえリブが一対対称に配置され、該一対の端子押さえリブの間に該ハウジングの隔壁の前端部が進入することを特徴とする分割式コネクタ。
【請求項２】
ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子押さえリブに、前記端子の端部を支持する傾斜面が形成され、該端子押さえリブの該傾斜面が前記端子収容室の対向側の内壁とで該端子を支持してガタ付きなく位置規制することを特徴とする分割式コネクタ。
【請求項３】
ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子収容室の対向側の内壁の前方に第二の端子押さえリブが該孔部を中心に該端子押さえリブと対称に設けられ、両端子押さえリブに、前記端子の端部を支持する傾斜面が対向して形成され、該端子押さえリブの該傾斜面が該端子収容室の対向側の内壁とで該端子を支持してガタ付きなく位置規制することを特徴とする分割式コネクタ。
【請求項４】
ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子押さえリブが該孔部を中心に上下左右の四方に配置され、四方の各端子押さえリブの内側に、前記端子の端部を支持する傾斜面が形成され、該端子押さえリブの該傾斜面が前記端子収容室の対向側の内壁とで該端子を支持してガタ付きなく位置規制することを特徴とする分割式コネクタ。
【請求項５】
ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子押さえリブが該孔部を中心に環状に形成され、該環状の端子押さえリブの内周側に、前記端子の端部を支持する傾斜面が形成され、該端子押さえリブの該傾斜面が前記端子収容室の対向側の内壁とで該端子を支持してガタ付きなく位置規制することを特徴とする分割式コネクタ。
【請求項６】
前記端子押さえリブの後端に前記ハウジングの端子係止ランスの前端が対向して位置することを特徴とする請求項１〜５の何れかに記載の分割式コネクタ。
【請求項７】
一対の前記端子に対応して前記端子押さえリブが一対対称に配置され、該一対の端子押さえリブの間に前記ハウジングの隔壁の前端部が進入することを特徴とする請求項２〜５の何れかに記載の分割式コネクタ。
【発明の詳細な説明】
【技術分野】
【０００１】
本発明は、端子を収容した複数のサブコネクタをフレーム内に嵌合して構成される分割式コネクタに関するものである。
【背景技術】
【０００２】
図１２（ａ）は、従来の分割式コネクタの一形態を示すものである（特許文献１参照）。
【０００３】
この分割式コネクタ５１は、合成樹脂製のフレーム５２と、フレーム５２内に装着される複数のサブコネクタ５３とで構成され、各サブコネクタ５３は、図１２（ｂ）の如く、合成樹脂製の後側ハウジング５４と、後側ハウジング５４に前方からスライド式に係合する前側ハウジング５５と、前後のハウジング５４，５５内に収容される雄型の端子５６とで構成されている。
【０００４】
サブコネクタ５３を用いることで、例えば種々の大きさ形状の端子５６を一つのフレーム５２内に低挿入力で配置でき、また、サブコネクタ５３の単体時に前側ハウジング５５を前方に突出させて雄端子５６を覆って保護することができる。前側ハウジング５５は相手コネクタ（図示せず）の嵌合時に、図１２（ａ）の状態から後方に押されて図１２（ｂ）の如く後側ハウジング５４に合体する。
【０００５】
端子５６には予め電線（図示せず）が圧着接続され、電線付き端子の状態でハウジング５４，５５内に挿入されて、後側ハウジング５４の可撓性の係止ランス５７で係止される。フレーム５２はサブコネクタ５３毎に隔壁５８で区画された相手コネクタ嵌合室５９を有している。
【０００６】
図１３は、従来の分割式コネクタの他の実施形態を示すものである（特許文献２参照）。
【０００７】
この分割式コネクタ６１は、合成樹脂製のコネクタハウジング６２と、コネクタハウジング６２の前端側の幅広な開口６３を塞ぐ合成樹脂製のフロントホルダ６４と、コネクタハウジング６２の端子収容室６５内に挿入係止される電線付きの雌型の端子６６と、端子二重係止用のサイドスペーサ６７とで構成されるものである。
【０００８】
コネクタハウジング６２は、各端子収容室６５を区画する隔壁６８と、端子６６を係止する可撓性の係止ランス６９と、端子６６の前端の突部７０を係合位置決めする枠状部７１とを有している。フロントホルダ６４は、相手コネクタ（図示せず）の雄型の端子を挿入させるテーパ状の開口７２を有している。
【０００９】
一般的に、例えば端子（６６）が小型である場合に、端子係止力を確保するべく、係止ランス（６９）の横幅を広く形成し、それに伴ってコネクタハウジング（６２）の前端部における係止ランス（６９）の型抜き孔も大きくなるが、フロントホルダ６４を用いることで、型抜き孔が不要となり、コネクタハウジング６２の前端の開口６３を広い面積で塞ぐことができる。
【００１０】
図１３の例では、雌型の端子６６を収容するハウジング６２にフロントホルダ６４を適用しているが、雄型の端子（図示せず）の接触タブの付け根を保持するフロントホルダを用いた分割式コネクタ（図示せず）は、特許文献３等に記載されている。
【特許文献１】特開平１０−２７０１１５号公報（図１０，図１２）
【特許文献２】特開２００２−１７５８５１号公報（図１）
【特許文献３】特開平１１−８６９４８号公報（図１）
【発明の開示】
【発明が解決しようとする課題】
【００１１】
しかしながら、上記従来の図１２に示す分割式コネクタ５１にあっては、端子５６の押さえを端子保護部品である前側ハウジング５５で行っているために、積上げ公差によって、前後のハウジング５４，５５内の端子５６のガタ付きや、フレーム５２とハウジング５４，５５（サブコネクタ５３）との間のガタ付きが大きくなってしまうという懸念があった。また、サブコネクタ５３毎に前側ハウジング５５が必要で、部品点数が増加し、高コスト化したり、前側ハウジング５５と後側ハウジング５４を相互に係止するためのスペースが必要で、構造が大型化するといった懸念があった。
【００１２】
端子５６のガタ付きが大きいと、相手コネクタとの嵌合時に突き当たり（干渉）を生じて変形や傷付きを生じたり、コネクタ嵌合後に相手端子との微摺動摩耗を起こして電気的接触性が低下し兼ねないという懸念を生じ、フレーム５２とサブコネクタ５３とのガタ付きによっても、同様の問題を起こし兼ねないという懸念を生じる。
【００１３】
また、上記従来の図１３に示す分割式コネクタ６１にあっては、コネクタハウジング６２の水平な隔壁６８の前方部分が係止ランス６９の撓み空間７３となっているために、コネクタハウジング６２内に端子６６を挿入する途中で、係止ランス６９が端子６６を挿入直交方向に押すために、端子６６の先端の突部７０がコネクタハウジング６２の位置決め用の枠状部７１の後端に当接して、枠状部７１内にスムーズに係合できないという懸念があった。また、フロントホルダ６４をコネクタハウジング６２に係止するためのスペースが必要で、そのためにコネクタ６１が肥大化するという懸念もあった。
【００１４】
本発明は、上記した点に鑑み、部品点数を増やすことなく、コンパクトな構造で、ハウジング内の端子のガタ付きや、フレームとハウジングとのガタ付きを防ぐことができ、また、端子の端部の位置決めをスムーズ且つ確実に行わせることできる分割式コネクタを提供することを目的とする。
【課題を解決するための手段】
【００１５】
上記目的を達成するために、本発明の請求項１に係る分割式コネクタは、ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子押さえリブが前記端子収容室の対向側の内壁とで前記端子を支持してガタ付きなく位置規制し、一対の該端子に対応して該端子押さえリブが一対対称に配置され、該一対の端子押さえリブの間に該ハウジングの隔壁の前端部が進入することを特徴とする。
【００１６】
上記構成により、ハウジング内に端子が挿着されてサブコネクタが構成され、サブコネクタがフレーム内に挿着されることで、ハウジングの前部開口がフレームの壁部で塞がれ、壁部から突出した端子押さえリブがハウジング内の端子の端部を支持し、押さえリブに対向する端子収容室の内壁と共に端子を位置規制してガタ防止する。ハウジングの端子収容室の内壁とフレームの端子押さえリブとが端子を介して位置規制されることで、ハウジングとフレームとのガタ付きが防止される。フレームの壁部の孔部から相手コネクタの端子がハウジングの端子収容室に挿入されて端子に接続される。
【００１７】
上記はハウジング内に雌型の端子を収容した場合として説明したが、ハウジング内に雄型の端子を収容した場合は、雄型の端子の前半の電気接触部が孔部から前方に突出し、端子押さえリブは雄型の端子の電気接触部に続く中間の端部（段部）を支持する。
また、ハウジングの隔壁の前端部がフレームの一対の端子押さえリブの間に進入することで、フレームとハウジングとが位置決めされ、ハウジング内の端子とフレームの端子挿入用の孔部との位置ずれが防止される。
【００１８】
請求項２に係る分割式コネクタは、ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子押さえリブに、前記端子の端部を支持する傾斜面が形成され、該端子押さえリブの該傾斜面が前記端子収容室の対向側の内壁とで該端子を支持してガタ付きなく位置規制することを特徴とする。
【００１９】
上記構成により、ハウジング内に端子を挿入すると同時に、端子の端部が端子押さえリブの傾斜面に当接し、ハウジングの対向する内壁に向けて端子の端部が押し付けられることで、端子の位置規定（規制）が正確に行われ、端子の前後・上下方向のガタ付きが確実に防止されると共に、端子を介してハウジングとフレームとのガタ付きも確実に防止される。
【００２０】
請求項３に係る分割式コネクタは、ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子収容室の対向側の内壁の前方に第二の端子押さえリブが該孔部を中心に該端子押さえリブと対称に設けられ、両端子押さえリブに、前記端子の端部を支持する傾斜面が対向して形成され、該端子押さえリブの該傾斜面が該端子収容室の対向側の内壁とで該端子を支持してガタ付きなく位置規制することを特徴とする。
【００２１】
上記構成により、端子の端部が両端子押さえリブの間に挿入されて、両端子押さえリブの傾斜面で上下方向にガタ付きなく支持されつつ求心される。第二の端子押さえリブの傾斜面は端子の端部を支持し、ハウジングの端子収容室の内壁は端子の端部よりも後方の部分を支持する。
【００２２】
請求項４に係る分割式コネクタは、ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子押さえリブが該孔部を中心に上下左右の四方に配置され、四方の各端子押さえリブの内側に、前記端子の端部を支持する傾斜面が形成され、該端子押さえリブの該傾斜面が前記端子収容室の対向側の内壁とで該端子を支持してガタ付きなく位置規制することを特徴とする。
【００２３】
上記構成により、端子の端部が矩形枠状の端子押さえリブの内側に挿入されて、各端子押さえリブの各傾斜面で前後上下左右方向にガタ付きなく支持されつつ求心される。各端子押さえリブの傾斜面は端子の端部を支持し、ハウジングの端子収容室の内壁は端子の端部よりも後方の部分を支持する。
【００２４】
請求項５に係る分割式コネクタは、ハウジングの端子収容室に端子を収容して成るサブコネクタをフレーム内に複数挿着して構成される分割式コネクタであって、前記ハウジングが前部開口を有し、前記フレームが該前部開口を塞ぐ壁部を有し、該壁部に、端子挿入用の孔部が設けられると共に端子押さえリブが突設され、該端子押さえリブが該孔部を中心に環状に形成され、該環状の端子押さえリブの内周側に、前記端子の端部を支持する傾斜面が形成され、該端子押さえリブの該傾斜面が前記端子収容室の対向側の内壁とで該端子を支持してガタ付きなく位置規制することを特徴とする。
【００２５】
上記構成により、端子の端部が円環状の端子押さえリブの内側に挿入されて、円環状の端子押さえリブの傾斜面で前後上下左右等の全方向にガタ付きなく支持されつつ求心される。端子押さえリブの傾斜面は端子の端部を支持し、ハウジングの端子収容室の内壁は端子の端部よりも後方の部分を支持する。
【００２６】
請求項６に係る分割式コネクタは、請求項１〜５の何れかに記載の分割式コネクタにおいて、前記端子押さえリブの後端に前記ハウジングの端子係止ランスの前端が対向して位置することを特徴とする。
【００２７】
上記構成により、ハウジング内の端子が端子係止ランスで係止され、端子は可撓性（弾性）の端子係止ランスの付勢力で端子収容室の内壁に向けて押圧され、この付勢力を超える力で端子が回動やガタ付きを生じるのを端子押さえリブが阻止する。
【００２８】
請求項７に係る分割式コネクタは、請求項２〜５の何れかに記載の分割式コネクタにおいて、一対の前記端子に対応して前記端子押さえリブが一対対称に配置され、該一対の端子押さえリブの間に前記ハウジングの隔壁の前端部が進入することを特徴とする。
【００２９】
上記構成により、ハウジングの隔壁の前端部がフレームの一対の端子押さえリブの間に進入することで、フレームとハウジングとが位置決めされ、ハウジング内の端子とフレームの端子挿入用の孔部との位置ずれが防止される。
【発明の効果】
【００３０】
請求項１記載の発明によれば、端子押さえリブでハウジング内の端子の回動やガタ付きが防止されると共に、端子押さえリブを介してハウジングとフレームとのガタ付きが防止されるから、相手コネクタとの嵌合時における相手端子とハウジング内の端子との突き当たりによる損傷や、コネクタ嵌合後の振動等による端子の摩耗等が防止されて、コネクタ接続の信頼性が向上する。また、従来のようにハウジングを二部品構成とする必要がないから、部品点数が削減されて、低コスト化されると共に、二部品の係止に伴う構造の肥大化が防止されて、コンパクト化が可能となる。また、ハウジングの隔壁が一対の端子押さえリブの間に進入することで、フレームとハウジングとが位置決めされ、ハウジング内の端子とフレームの端子挿入用の孔部との位置ずれが防止されて、端子と相手端子との接続がスムーズに行われる。
【００３１】
請求項２記載の発明によれば、端子の端部が端子押さえリブの傾斜面に沿ってスムーズ且つ確実に位置規定され、ハウジング内の端子の前後・上下方向のガタ付きが確実に防止される共に、端子を介してハウジングとフレームとのガタ付きも確実に防止される。
【００３２】
請求項３記載の発明によれば、両端子押さえリブの傾斜面で端子の端部が前後・上下方向のガタ付きなく支持且つ求心されることで、フレームの孔部に挿入される相手端子との位置ずれが確実に防止される共に、端子を介してハウジングとフレームとのガタ付きも確実に防止される。
【００３３】
請求項４記載の発明によれば、矩形枠状の端子押さえリブの傾斜面で端子の端部が前後上下左右方向のガタ付きなく支持且つ求心されることで、フレームの孔部に挿入される相手端子との位置ずれが確実に防止される共に、端子を介してハウジングとフレームとのガタ付きも確実に防止される。
【００３４】
請求項５記載の発明によれば、円環状の端子押さえリブの傾斜面で端子の端部が前後上下左右等の全方向のガタ付きなく支持且つ求心されることで、フレームの孔部に挿入される相手端子との位置ずれが確実に防止される共に、端子を介してハウジングとフレームとのガタ付きも確実に防止される。
【００３５】
請求項６記載の発明によれば、端子係止ランスの付勢力と端子押さえリブの支持力とで端子を柔軟且つ確実に支持してガタ防止することができる。
【００３６】
請求項７記載の発明によれば、ハウジングの隔壁が一対の端子押さえリブの間に進入することで、フレームとハウジングとが位置決めされ、ハウジング内の端子とフレームの端子挿入用の孔部との位置ずれが防止されて、端子と相手端子との接続がスムーズに行われる。
【発明を実施するための最良の形態】
【００３７】
図１〜図６は、本発明に係る分割式コネクタの一実施形態を示すものである。
【００３８】
図１，図２の如く、この分割式コネクタ１は、合成樹脂製のフレーム２と、フレーム２内に挿入係止される複数のサブコネクタ３とで構成され、サブコネクタ３は合成樹脂製のハウジング４と、ハウジング４内に挿入係止される導電金属製の雌型の端子５とで構成されるものである。サブコネクタ３に従来（図１２）のような前後の二つのハウジングを用いずに一つの一体型のハウジング４を用いて部品の削減を図っている。
【００３９】
フレーム２は、各サブコネクタ３に対応した数の縦断面矩形状の複数の収容室６を少なくとも上下方向に並列に有し、各収容室６の後端は開口され（後部開口を符号６ａで示す）、各収容室６の前端は垂直な壁部７で封止され、壁部７に、相手側コネクタ（図示せず）の雄端子挿入用の孔部８が設けられると共に、孔部８の近傍で、壁部７の内面に、図２の如くサブコネクタ３の雌型の端子５の先端部をハウジング４の対向側の水平な内壁９と共に支持する端子押さえリブ１０が設けられている。
【００４０】
図１の如く、前端の壁部７は各収容室６の上下の平行な隔壁１１に直交して一体に形成されている。なお、明細書で上下前後左右の方向性は説明の便宜上のものであり、必ずしも分割式コネクタ１の取付方向と一致するものではない。
【００４１】
押さえリブ１０は、各サブコネクタ３内に背中合わせ（上下対称）に配置される上下の各端子５に対応して、各収容室６内に上下に一対が近接且つ対向して設けられ、下側の押さえリブ１０の下方に隣接して相手端子挿入用の孔部８が位置し、上側の押さえリブ１０の上方に隣接して相手端子挿入用の孔部８が位置している。各孔部８の入り口（前端側）には雄端子拾い用のテーパ面８ａが形成されている。
【００４２】
押さえリブ１０の突出長さは前端の壁部７の板厚の二倍弱程度の短いものである。押さえリブ１０は後方に向けて水平な板状に突出し、突出先端（後端）に上下のテーパ面１０ａ，１０ｂを有し、図２の如く、端子５の先端部に接する内側のテーパ面１０ａは大きく、サブコネクタ３のハウジング４の中央の隔壁１２に接する外側のテーパ面１０ｂは小さく形成されている。
【００４３】
図２の如く、フレーム２内にサブコネクタ３を挿入した状態で、各押さえリブ１０の先端はサブコネクタ３のハウジング４内の可撓性の端子係止ランス１３の薄肉の先端（前端）１３ａに近接対向し、係止ランス１３の突部１３ｂは端子５の前半の箱状（矩形筒状）の電気接触部１４の凹部１４ａ（図１）に係合し、押さえリブ１０の内側面１０ｃが端子５の凹部１４ａの前側に続く外面１４ｂ（図１）に接し、サブコネクタ３のハウジング４内の水平な内壁９の内面に端子５の電気接触部１４の腹側の水平な外面１４ｃ（図１）が接して、内壁９と押さえリブ１０との間で端子５の電気接触部１４の先端部が上下方向のガタ付きなく正確に位置決めされている。それによって、相手側コネクタ（図示せず）の嵌合時に相手側雄端子（図示せず）が位置ずれや干渉なく雌型の端子５の電気接触部１４内にスムーズに挿入される。
【００４４】
係止ランス１３はその弾性力で端子５をハウジング４内の内壁９に向けて押圧している。押さえリブ１０は剛性の突出壁であるので、押さえリブ１０と内壁９との間に端子５の先端部をスムーズに挿入し得る若干の隙間は必要であり、ガタ付きはその隙間の範囲内で抑えられる。
【００４５】
係止ランス１３の付勢方向（撓み反対方向）にハウジング４内の水平な内壁９が対向して位置し、内壁９の先端（前端）９ａはフレーム２の前端の垂直な壁部７に直交して隙間なく当接し、係止ランス１３の付勢力（弾性力）で端子５が内壁９に押し付けられ、押さえリブ１０は、係止ランス１３の付勢力に抗して相手コネクタ嵌合時や車両走行中の振動時等において端子５が付勢反対方向に動こうとした時に端子５を当接させて上下方向のガタ付きを防止する。
【００４６】
図３，図４の如く、サブコネクタ３は、ハウジング４と雌型の端子５とで構成され、ハウジング４は、上下方向中央の水平な厚肉の隔壁１６と、ハウジング前半の上下の対向する薄肉の水平な内壁９と、厚肉の隔壁１６の先端に一体形成された上下一対の対称で小さな第一の係止ランス１３と、一対の係止ランス１３の間で厚肉の隔壁１６の前方に延長された水平な薄肉の隔壁１２と、ハウジング４の前後方向中央で上下の内壁９の後端に位置する二重係止用の可撓性の大きな第二の係止ランス１７と、係止ランス１７の後方に一体に続くハウジング後半の上下の水平な外壁（壁部）１８と、端子収容室１９の左右両側の垂直な隔壁又は外壁（壁部）（符号１９で代用する）とを備えている。
【００４７】
図２の如く、ハウジング４の中央の水平な薄肉の隔壁１２が上下一対の押さえリブ１０の間に若干の隙間を存して挿入され、隔壁１２の前端１２ａはフレーム２の前端の壁部７の内面に直交して当接する。図３の如く、ハウジング前半の上下の内壁９はハウジング後半の上下の外壁１８よりも内寄りに位置している。図３においてハウジング４内に端子５が左右方向に複数並列に配置される場合は、垂直な隔壁と上下の隔壁１６と内壁９とで端子収容室１９が画成される。各端子収容室１９の前端は大きく開口され、その開口２０は、第一の係止ランス１３の前方の開口２０ａに一体に連通している。
【００４８】
雌型の端子５は、内側に弾性接触片（図示せず）を有する矩形筒状の前半の電気接触部１４と、電気接触部１４に続く後半の電線接続部（圧着部）２１とを有し、電気接触部１４の前半に、第一の係止ランス１３に係合する凹部１４ａが形成され、電気接触部１４の後段（後端）１４ｄに第二の係止ランス１７が係合する。
【００４９】
図４の如く、端子５の係止状態で、端子５の前端１４ｅはハウジング４の前部開口よりも少し後方に位置する。電線は図示を省略しており、実際には前側の圧着片２１ａで電線の導体部が圧着接続され、後側の圧着片２１ｂで電線の絶縁被覆が圧着固定される。圧着に代えて電線を予め圧接することも可能である。端子５の係止解除は、図４の状態でハウジング４の前部開口２０ａから治具棒（図示せず）を挿入して第一の係止ランス１３の先端部１３ａを係止解除方向に押して撓ませると共に、外部に露出した第二の係止ランス１７の先端部１７ａを治具棒（図示せず）で係止解除方向に押して撓ませることで行われる。
【００５０】
図５（横断面図）の如く、サブコネクタ４は前部の左右両側に傾斜状の可撓性の係止アーム２２を有し、フレーム２は左右両側の壁部２３の前部内面に、係止アーム２２の後端を係合当接させる段部２４を有している。サブコネクタ３はフレーム２の後部開口２５から各収容室６の後部開口６ａを経てフレーム２内に挿入されて、係止アーム２２でフレーム２に係止固定される。
【００５１】
フレーム２の左右の壁部２３の外側には隙間２６を存してフード部２７が形成され、フード部２７は図１の如く前後方向にも矩形筒状に連続している。フード部２７の左右両側部分２７ａは内側の壁部２３の前端よりも前方に突出して、内側のサブコネクタ収容部２８に相手コネクタ（図示せず）をスムーズに嵌合案内する。フード部内で相手コネクタは係止突起３２（図１）でロックされる。図１で符号３３は例えば下端側の大型のサブコネクタ（図示せず）等に対応した係止ランスである。
【００５２】
図６（ａ）は、本実施形態の分割式コネクタ１の押さえリブ１０の作用を図６（ｂ）の押さえリブなしのコネクタ３１と比較して示すものである。
【００５３】
すなわち、図６（ｂ）においては、サブコネクタ３に端子５を装着した際に、左右方向については端子収容室１９の垂直な壁部（図示せず）によって位置規制されるが、上下方向については、係止ランス１３が可撓性であるために、端子５の位置規制をすることができず、相手雄端子（図示せず）の挿入時等に端子５が矢印のように回動してしまう場合がある。仮にサブコネクタ３に端子収容用（規制用）のリブ（図示せず）を設けたとしても、フレーム２とサブコネクタ３との間のガタにより、前端の相手端子挿入口８に端子５の箱状の電気接触部１４が位置するために、電気接触部１４の前端に相手雄端子が突き当たる危険性がある。
【００５４】
図６（ａ）のように、相手端子挿入口８に続いて押さえリブ１０を設けたことで、相手端子挿入口８に対して端子５を精度良く位置決めを行うことができ、相手雄端子との突き当たりが確実に防止される。また、押さえリブ１０で端子５の先端が位置規制されるため、相手端子挿入時等の端子ベンドｕｐの大小に関わらず、端子５の位置規制が可能となる。また、押さえリブ１０によって、端子５の傾きを規制すると共に、フレーム２内におけるサブコネクタ３のガタも規制することができる。
【００５５】
図７，図８は、本発明に係る分割式コネクタの他の実施形態を示すものである。
【００５６】
この分割式コネクタ１2は、サブコネクタ３内の端子５のガタを規制するために、フレーム２2の前端の壁部７から後方に突出した押さえリブ１０2の形状をテーパ状にしたことを特徴とするものである。押さえリブ１０2以外の構成は上記図１〜図６の実施形態と同様であるので、同様の構成部分には同じ符号を付して詳細な説明を省略する。
【００５７】
図７，図８の例では、押さえリブ１０2を後端に向かうにつれて漸次薄肉にする如く、押さえリブ１０2における端子５との接触面をテーパ状の傾斜面１０ｃとし、図８の如く、雌型の端子５の電気接触部１４の下側先端１４ｅ又は上側先端１４ｆの水平な辺部を押さえリブ１０2の傾斜面１０ｃの途中（押さえリブ１０2の付け根側の傾斜面）に当接させることで、端子５の先端部をサブコネクタ３のハウジング４の対向側の水平な上下の内壁９に押し付けて、端子５の上下方向（係止ランス１３の撓み方向と撓み反対方向）の位置規制（ガタ付き防止）を行っている。
【００５８】
図９〜図１１は、図７〜図８に類似の傾斜面を有する押さえリブの変形例を有する分割式コネクタをそれぞれ示すものである。分割式コネクタの構成は基本的に図７〜図８のものと同様であるので、図９〜図１１においては要部のみを示し、図７〜図８と同様の構成部分には同じ符号を付して詳細な説明を省略する。
【００５９】
図９（ａ）にフレーム２3の単品図、図９（ｂ）に端子５を収容したサブコネクタ３をフレーム２3内に嵌合した状態を示す如く、図９の分割式コネクタ１3は、サブコネクタ３のハウジング４の前半の上下の水平な各内壁９を短く形成して、上下の各内壁９の前端側にフレーム２3側の各一対の押さえリブ１０2，１０2´を上下対向して位置させ、上下一対の押さえリブ１０2，１０2´の対向する面を傾斜面１０ｃとして、各押さえリブ１０2，１０2´の傾斜面１０ｃに雌型の端子５の上下の端縁（水平な辺部）１４ｅ，１４ｆを当接させて、端子５の前後及び上下方向の位置規制（ガタ防止）を行わせるものである。押さえリブ１０2´は第二の押さえリブと呼称する。
【００６０】
図１０の分割コネクタ１4は、上記図９の構成（上下一対の押さえリブ１０2）に加えて、図１０（ｂ）（ｄ）の如く、フレーム２4の前端の垂直な壁部７に左右一対の押さえリブ１０3を突出形成し、図１０（ａ）（ｃ）の上下一対の押さえリブ１０2と共に、上下左右四方の押さえリブ１０2，１０3で枠状の壁部を構成し、各押さえリブ１０2，１０3の内面には傾斜面１０ｃ，１０ｄを形成し、各傾斜面１０ｃ，１０ｄに雌型の端子５の先端の上下左右の端縁１４ｅ〜１４ｈを当接させて、端子５の前後・上下・左右方向の位置規制（ガタ防止）を行わせるものである。図１０（ｄ）で符号３０はハウジング４の端子収容室１９の左右の垂直な隔壁を示す。
【００６１】
図１１の分割コネクタ１5は、図１０の例で矩形筒状に押さえリブ１０2，１０3を配置したのに対し、フレーム２4の前端の壁部７に押さえリブ１０4を環状（円筒状）に形成し、押さえリブ１０4を先端（後端）に向かうにつれて漸次薄肉にする如く、押さえリブ１０4の内周面全周をテーパ状の傾斜面１０ｅとし、雌端子５の矩形筒状の電気接触部１４の先端の四角部１４ｉ，１４ｊを押さえリブ１０4の傾斜面１０ｅに当接させて、端子５の前後上下左右方向に加えて斜め上下・斜め左右方向といった全方向の位置規制（ガタ防止）を行わせるものである。
【００６２】
上記図７〜図１１の各実施形態によって、サブコネクタ３内の端子５の先端が押さえリブ１０2〜１０4で積極的に押さえ付けられて、端子５のガタ付きが確実に防止される。
【００６３】
なお、上記各実施形態においては、雌型の端子５を対象とした分割式コネクタ１を示したが、雄型の端子（図示せず）を対象とした分割式コネクタ（図示せず）を形成することも可能である。この場合は、雄型の端子の後半部（後方の電線接続部を含む胴体部分）をサブコネクタ（３）のハウジング（４）内に収容し、雄型の端子のピン状ないしタブ状の電気接触部（５）をハウジング（４）から前方に突出させ、その状態でサブコネクタ（３）をフレーム（２）の後半部内に挿入係止させ、雄型の端子の電気接触部をフレーム（３）の中間の垂直な壁部（７）の端子挿入用の孔部（８）からフレーム（３）の前半のフード部（２７）内に突出させ、孔部（８）に隣接して中間の垂直な壁部（７）の内側に押さえリブ（１０）を突設し、押さえリブ（１０）で雄型の端子の中間部（後半の胴体部の前端部分）をハウジング（４）の水平な壁部（９）との間で位置規制（ガタ防止）する。
【図面の簡単な説明】
【００６４】
【図１】本発明に係る分割式コネクタの一実施形態を示す組立前の状態の縦断面図（枠内は要部拡大図）である。
【図２】同じく分割式コネクタの組立後の状態を示す縦断面図（枠内は要部拡大図）である。
【図３】分割式コネクタのサブコネクタの一形態を示す組立前の縦断面図である。
【図４】同じくサブコネクタを示す組立後の縦断面図である。
【図５】分割式コネクタの横断面図（枠内は要部拡大図）である。
【図６】（ａ）は分割式コネクタの押さえリブの作用を示す要部縦断面図、（ｂ）は押さえリブのない状態の作用を示す要部縦断面図である。
【図７】本発明に係る分割式コネクタの他の実施形態を示す組立前の状態の縦断面図（枠内は要部拡大図）である。
【図８】同じく分割式コネクタの組立後の状態を示す縦断面図（枠内は要部拡大図）である。
【図９】分割式コネクタの押さえリブの第二の形態を示す、（ａ）はフレームの要部縦断面図、（ｂ）は組立後の分割式コネクタの要部縦断面図である。
【図１０】分割式コネクタの押さえリブの第三の形態を示す、（ａ）はフレームの要部縦断面図、（ｂ）は（ａ）のＡ−Ａ断面図、（ｃ）は組立後の分割式コネクタの要部縦断面図、（ｄ）は（ｃ）のＢ−Ｂ断面図である。
【図１１】分割式コネクタの押さえリブの第四の形態を示す、（ａ）はフレームの要部縦断面図、（ｂ）は（ａ）のＣ−Ｃ断面図、（ｃ）は組立後の分割式コネクタの要部縦断面図、（ｄ）は（ｃ）のＤ−Ｄ断面図である。
【図１２】（ａ）は従来の分割式コネクタの一形態を示す要部縦断面図、（ｂ）はそのサブコネクタを示す縦断面図である。
【図１３】従来の分割式コネクタの他の形態を示す縦断面図である。
【符号の説明】
【００６５】
１                                  分割式コネクタ
２                                  フレーム
３                                  サブコネクタ
４                                  ハウジング
５                                  端子
７                                  壁部
８                                  孔部
９                                  内壁
１０，１０2，１０2´，１０3，１０4  端子押さえリブ
１０ｃ，１０ｄ，１０ｅ              傾斜面
１２                                隔壁
１３                                端子係止ランス
１９                                端子収容室
２０                                前部開口
【図１】
0004987624.tif 000002
【図２】
0004987624.tif 000003
【図３】
0004987624.tif 000004
【図４】
0004987624.tif 000005
【図５】
0004987624.tif 000006
【図６】
0004987624.tif 000007
【図７】
0004987624.tif 000008
【図８】
0004987624.tif 000009
【図９】
0004987624.tif 000010
【図１０】
0004987624.tif 000011
【図１１】
0004987624.tif 000012
【図１２】
0004987624.tif 000013
【図１３】
0004987624.tif 000014